Podtech/llm-jp-corpus-v4-ja_patent huggingface dataset:
(57)【要約】      （修正有）【課題】短時間で容易に陸地で準備ができ、水中に沈むことなく水難者の所まで送り出せる救命具を提供する。【解決手段】水難者の救助は、発見から生命の安全の確保まで短時間で行うことが最良です。本救命具は、一方に袋となる部分イを持ち、空気を内蔵する筒状の部分ロと他方の空気を送り込む吸入口で構成されます。発見者やその近くに居合せた人が本救命具の準備ができこれを水難者の所まで送り出し、これに掴まることが出来れば、沖に流されず、本救命具を準備した人達が引くことになります。同時に泳ぎ達者な人が水難者の所に到達すれば、水難者の様子が注視され、生命の安全の確保が出来ることになります。【選択図】図１
2013035532.tif 000002
【特許請求の範囲】
【請求項１】
袋状の部分を一方に持ち、長さに制限のない筒状の内部に空気を送り込み、直線的な形状が成形される。
空気が充分に入れば、他方の空気送り込み口を括ります。
【請求項２】
空気が内蔵されているので水に浮き、片手で容易に掴める太さのロープの役を持つ本考案を得ます。
【発明の詳細な説明】
【発明の概要】
【０００１】海での水難事故で、水難者を救助するのに陸地から救援ができ、短時間で準備もでき、今まで陸地で見守っていた人達が扱える救命具を得ました。
【発明が解決しようとする課題】
【０００２】従来、海での水難事故は予期せぬ時に起こり、それが家族であったり、友人、知人であったりもします。水難者を救助するのに一刻を争うので、発見者やその場に居合せた人の中で、泳ぎの達者な人が救助に向います。時には救助に向った人がこの事故に巻き込まれてしまうこともあります。
ヘリコプターや救命ボートの出動には、時間がかかります。
【発明が解決するための手段】
【０００３】本考案は短時間で容易に陸地で準備ができ、水中に沈むことなく水難者の所まで送り出せます。これに掴まれば陸地の人達がロープの役を備えた本考案を引くことに依り、水難者は陸地に引き寄せられ、生命の安全が確保されます。また救助者の一助にもなります。
【発明の効果】
【０００４】陸地からの救いの手の代用と成る、本考案を使うことに依って、今まで陸地で見守っていた人達が救助者に成り得ます。また救助者は水難者の様子が注視できます。
【図面の簡単な説明】
【０００５】
【図１】図１は側面図で、一方に袋となる部分を持ち、空気を内蔵する筒状の部分と他方の空気を送り込む吸入口で構成されます。
【図面の符号の説明】
【０００６】（イ）袋部
（ロ）空気内蔵筒部
（ハ）空気送り込み口
【図１】
2013035532.tif 000003
(57)【要約】【課題】  身近に多く存在しているポケットティッシュには関連商品も多種多様に在るが、安価なコスト、生産性、使い易さ、清潔性、美観において、全てを満たすようなポケットティッシュボックスは見当たらない。  そこで、本発明は前記問題点の全てを克服するポケットティッシュボックスを提供する。【解決手段】  ティッシュボックス（６）の底面に、取出し口（３）、足（４）を設けることによりティッシュは外部からの埃から守られ、直に接地面に触れることなく清潔に保たれる。  ティッシュの補充は上蓋（１）を開けて上から入れ、残量は背面の覗き窓（７）から確認できる。残量が少なくなり、取り出す時に中のティッシュが浮き上がるような場合は、覗き窓（７）から指を入れ押さえることで取出しが容易になる。  一枚の板から折り曲げ加工するだけの生成なので、安価なコスト、生産性に優れ、また、板の材質、色調を工夫すれば、おしゃれな小物として外観も楽しめる。【選択図】図１
2013035583.tif 000002
【特許請求の範囲】
【請求項１】
切り取った一枚の板から折り曲げ加工を施すことにより生成することが可能で、ティッシュの取出し口を底面に設けた、ポケットティッシュボックス。
【発明の詳細な説明】
【技術分野】
【０００１】
本発明は、ポケットティッシュペーパーを収容するポケットティッシュボックスに関するものである。
【背景技術】
【０００２】
日常生活で、ティッシュペーパーは様々な場面で使われ、便利で欠かすことのできないものとなっている。携帯用にも、ポケットティッシュペーパーが使われ、街頭で販売促進に配られたり、景品、広告等様々に利用されている。
また、ティッシュペーパーを収容するための収容ボックス、ボックスカバーなど関連商品も多種多様に存在している。
【先行技術文献】
【特許文献】
【０００３】
【特許文献１】特開2005-145556
【発明の概要】
【発明が解決しようとする課題】
【０００４】
従来のポケットティッシュボックスでは、安価なコスト、生産性、使い易さ、清潔性、美観において、全てを満足させてくれるようなものは見当たらない。そこで、本発明は前記の問題点を全て克服したものを提供する。
【課題を解決するための手段】
【０００５】
切り取った一枚の板を折り曲げて生成し、接着剤、その他の部品等を不要とした構造で、ティッシュボックス（６）の取出し口（３）を底面に設ける。背面には覗き窓（７）を設け、ティッシュの残量を確認することができるほか、ティッシュが少量となった時には指を挿入し、ティッシュの浮き上がりを押さえることでティッシュの取出しが容易にできる。また、底面に設けた足（４）により、取出し口（３）に面したティッシュが接地面に接触しないようになっている。
【発明の効果】
【０００６】
切り取った一枚板のみで生成するため、生産コストを抑えた生産性の高いものが出来る。また、底面に取出し口、及び足を設けることで、外部からの埃の影響が少なく、ティッシュが清潔に保たれるとともに、外見上は小箱の様なデザインで美的である。
【図面の簡単な説明】
【０００７】
【図１】本発明の斜視図である。
【図２】本発明の展開図である。
【発明を実施するための形態】
【０００８】
以下、本発明の実施の形態を説明する。
（イ）  ティッシュボックス（６）は、切り取った一枚の板を折り曲げ加工により生成することが出来、接着剤、その他の部品は不要である。
（ロ）  底面にティッシュの取出し口（３）となる穴を設け、背面に覗き窓（７）用の穴を設ける。
（ハ）  前面には上蓋（１）を閉じた時に切込み（２）部を差し込むための切欠き（５）穴を設ける。
（ニ）  足（４）は取出し口（３）に面したティッシュと接地面が直接触れないようにするための工夫である。
本発明は以上のような構造である。
ティッシュは上蓋（１）を開け、上側から入れるため補充しやすい。ティッシュの残量は背面の覗き窓（７）で確認することが出来、少量になって取り出す時にティッシュが浮き上がってしまうような場合は、窓から指を入れティッシュを押さえることで容易に取り出すことができる。
取出し口（３）を下部に位置させることで、ティッシュが外部から埃を被ることがなく清潔に保たれ、外観は蓋のある小箱のようなデザインで美的である。
折り曲げ加工のみで生成可能なので、組み立ては使用者に任せて、組み立て方法の説明書を添付するといった提供方法も考えられる。
【実施例】
【０００９】
ティッシュボックス（６）は、図２の展開図に示したような形状に切り取った、折り曲げ可能な薄い板を、折り曲げ加工することにより生成することができる。
【産業上の利用可能性】
【００１０】
ポケットティッシュは身近に多く存在していて、使いかけのものも多く、一つにまとめられれば便利である。本発明のポケットティッシュボックスは、上蓋を開けて簡単に補充することができるので、容易に一つにまとめることができる。また、美的な外観と生産性にも優れているので、土産、販売促進用等に、材質や色調を工夫すればおしゃれな小物にもなる。車の中にも一つ在れば重宝する。
【符号の説明】
【００１１】
１  上蓋
２  切込み
３  取出し口
４  足
５  切欠き
６  ティッシュボックス
７  覗き窓
【図１】
2013035583.tif 000003
【図２】
2013035583.tif 000004
(57)【要約】【課題】  本発明は、従来型の紐付きのマスクでは、耳裏の皮膚の弱い方や敏感な方等に、ゴム紐で起こる接触部分の痛みや不快感を解消する装置の提供。並びに汚れ等の衛生不良交換時において、交換部品を少なくすることで安価に製造できる装置の提供。【解決手段】  マスクの耳掛け紐に適度な柔軟性のあるチューブを取り付け一体化した構造で構成している。又マスク本体の脱着方法は、マスク本体の固定穴に、紐の一端に取り付けた引き止め装置を抜き差しする方法で構成している。【選択図】    図１
2013074927.tif 000002
【特許請求の範囲】
【請求項１】
マスク本体と、マスク本体に取り付けられた耳掛け紐とで構成されたマスクにおいて、耳掛け紐が耳と接触する部分を柔軟性のある部材で構成したことを特徴とするマスク。
【請求項２】
前記、耳掛け紐の柔軟性のある部材が筒状或いは棒状の柔軟性部材であることを特徴とする請求項１に記載のマスク。
【請求項３】
前記マスク本体には、耳掛け紐を取り付けるための取り付け穴が設けられているとともに、耳掛け紐の端部には、前記マスク本体に設けた取り付け穴に差し込み、耳掛け紐をマスク本体に取り付けるための係止部材を設けたことを特徴とする特許請求の範囲１乃至特許請求の範囲２に記載のマスク。
【発明の詳細な説明】
【技術分野】
【０００１】
本発明は、マスクの耳掛けゴム紐の一部を改造したマスクに関する。
【背景技術】
【０００２】
従来のマスクは、マスク本体と繊維の紐とが一体化で構成されているものや、耳の形状に合わせた形状で、耳との接触部をウレタンで構成した補助具に耳掛け紐を通して使用するものが提案されている。
【先行技術文献】
【特許文献】
【０００３】
【特許文献１】特開２００６-２２３７９２
【発明の概要】
【発明が解決しようとする課題】
【０００４】
従来のマスクでは、ゴム紐と接触する耳裏部分の皮膚が敏感な使用者の場合は、その接触部分で痛みや不快感を起こす欠点があった。
【０００５】
また、汚れ等によるマスクの衛生不良交換時には、マスク本体と耳掛けゴム紐が一体化している為に、双方同時廃棄の無駄があった。さらに補助具を使用するものにおいては、耳掛け紐に補助具を嵌め込む手間が必要で、時にはズレや落下や紛失等の欠点もあり、必ずしも満足するものではなかった。
【課題を解決するための手段】
【０００６】
上記目的を達成するために、請求項１の発明では、マスク本体と、マスク本体に取り付けられた耳掛け紐とで構成されたマスクにおいて、耳掛け紐が耳と接触する部分を柔軟性のある部材で構成したことを特徴とする。
【０００７】
請求項２の発明では、前記、耳掛け紐の柔軟性のある部材が筒状或いは棒状の柔軟性部材であることを特徴とする。
【０００８】
請求項３の発明では、前記マスク本体には、耳掛け紐を取り付けるための取り付け穴が設けられているとともに、耳掛け紐の端部には、前記マスク本体に設けた取り付け穴に差し込み、耳掛け紐をマスク本体に取り付けるための係止部材を設けたことを特徴とする。
【発明の効果】
【０００９】
以上のように、本発明は、耳掛けゴム紐と適度の柔らかさのあるチューブとが一体化となるように構成している。またゴム紐の一端に取り付けた引き止め装置をマスク本体の固定穴に差し込む構造とすることで、マスク本体に対する耳掛け紐の脱着も容易にしている。    
本発明は、以上のように構成したので、耳掛けゴム紐に柔軟性部材を装着することにより、皮膚が敏感な使用者でも問題なく使用できるとともに、交換時にはマスク本体のみの交換でよく、コストの低減化にも寄与するマスクを提供する事を目的としている。
【図面の簡単な説明】
【００１０】
【図１】マスク本体にチューブ付き耳掛けゴム紐を装着した図である。
【図２】チューブの形状図である。
【図３】ゴム紐の一端で、引き止め付き装置を取り付けた形状図。
【発明を実施するための形態】
【００１１】
以下、本発明の実施の形態を図に基づいて説明する。
【実施例１】
【００１２】
図１は、本発明の組み立て図であって、適度な柔らかさのあるチューブを取り付けた耳掛け紐２とマスク本体１が合体した形態を表わしている。耳掛け紐２としてはゴム紐を使用すると耳への脱着がさらに容易となる。
【００１３】
図２は、柔軟性部材３として選択したチューブの形状であり、材質はビニールやシリコーン等の柔軟性部材３を使用しており、形状としては筒状や棒状の物であり、伸びが少なく適度な柔軟性を持ったもので、長さ、外形、厚み等は一般的な材料を適宜使用している。
【００１４】
図３は、耳掛け紐２の一端に係止部材４を取り付けた図であり、係止部材４材質は塩化ビニール、ポリプロピレン等の合成樹脂を一般としている。
【産業上の利用可能性】
【００１５】
本発明は、全世界で多くの人々が利用しているマスクを改造したものであり、従来品で不快感や痛みがあった方等も安心して使用できる物である。又マスクの衛生不良交換においては、耳掛けゴム紐は永続使用が可能で、交換部分はマスク本体のみでよく、一連のコストダウンが期待できる。今後は多くの方々が利用されるものと思われる。
【符号の説明】
【００１６】
１  マスクの本体部分。
２  耳掛け紐。
３  柔軟性部材。
４  係止部材。
【図１】
2013074927.tif 000003
【図２】
2013074927.tif 000004
【図３】
2013074927.tif 000005
(57)【要約】【課題】回転面の上下左右方向を変えずに回転面を傾斜回転させることが可能な傾斜回転型静電アクチュエータを提供する。【解決手段】固定台１は円周方向に複数の電磁石４を備える。回転台２は円周方向に永久磁石５を備える。固定台１と回転台２は伸縮素材で成型された支持部３で固定する。電磁石４は電流の大きさ及び方向及びタイミングを通流制御するように構成する。電磁石４に通電することで永久磁石５との間に生じる磁力により回転台２を支持部３を中心に上下左右方向を変えない傾斜回転駆動及び回転台２と固定台１の鉛直を保つ上下駆動が実現できる。また回転台２を３自由度方向に静止することが実現できる。【選択図】図１
2013074778.tif 000002
【特許請求の範囲】
【請求項１】
有限な２つの面を収縮する支持部で固定支持し、同一の磁極が同一方向を向く複数の電磁石を備える面と電磁石に正対するように配置する同一の磁極を電磁石を備える面に向ける永久磁石又は電磁石を備えた面の各電磁石の電流の大きさ及び方向及びタイミングを通流制御するように構成することを特徴とする傾斜回転型静電アクチュエータ。
【請求項２】
磁力を駆動源として面の傾斜運動、傾斜回転運動、２つの面が近づく運動、２つの面が離れる運動をすることを特徴とする請求項１に記載の傾斜回転型静電アクチュエータ。
【発明の詳細な説明】
【技術分野】
【０００１】
本発明は電磁石と永久磁石とで構成され磁力を利用して傾斜回転駆動を行う傾斜回転型静電アクチュエータに関し特に携帯情報端末装置に内蔵して撮影装置等の方向変更機構の駆動源として用いて好適な静電アクチュエータに関するものである。
【背景技術】
【０００２】
特許文献１では傾斜及び回転する静電アクチュエータの駆動部分を装置外装により支持（アダプタハウジング）する構造が提案されている。
【０００３】
特許文献２では傾斜及び回転する静電マイクロアクチュエータが提案されている。
【先行技術文献】
【特許文献】
【０００４】
【特許文献１】特許公開２００６−２６２６４号公報
【特許文献２】特許公開平９−２３６３２号公報
【発明の概要】
【発明が解決しようとする課題】
【０００５】
本発明は携帯情報端末装置に内蔵して撮影装置等の方向変更機構の駆動源として用いることができる傾斜回転型静電アクチュエータを提供するものである。
【課題を解決するための手段】
【０００６】
本発明の傾斜回転型静電アクチュエータは固定台の円周方向に複数の電磁石を備え、回転台は円周方向に複数の永久磁石を備え、固定台と回転台は伸縮する素材で成型された支持部で固定支持する。
電磁石は電流の大きさ及び方向及びタイミングを通流制御するように構成する。
電磁石に通電することで電磁石と永久磁石間に発生する磁力により支持部を中心に回転台の上下左右方向を変えない傾斜回転駆動及び回転台と固定台の鉛直を保つ上下駆動が実現できる。
【発明の効果】
【０００７】
本発明によれば電磁石に通電する電流を制御することにより電磁石と永久磁石との間に生じる磁力により支持部を中心に回転台の上下左右方向を変えない傾斜回転型静電アクチュエータを構成することができる。
【０００８】
本発明によれば電磁石に通電する電流を制御することにより回転台を運動中及び静止中を問わず３自由度方向に制御することができる。
【０００９】
本発明によれば電磁石に通電する電流を制御することにより永久磁石との間に生じる磁力により回転台と固定台を鉛直に保つ上下駆動制御することができる。
【図面の簡単な説明】
【００１０】
【図１】実施形態に係る静電アクチュエータの主要部の構成を示す図である。
【図２】静電アクチュエータの傾斜回転する様子を説明する図である。
【図３】静電アクチュエータの傾斜回転時の電磁石と永久磁石の位置関係を説明する図である。
【発明を実施するための形態】
【００１１】
本発明の最良の実施形態を図面を参照して説明する。図１は本発明における傾斜回転型静電アクチュエータの斜視図及び一部断面図である。
傾斜回転型静電アクチュエータは固定台１と回転台２を支持部３で固定支持し複数の電磁石４と永久磁石５が正対するように円周方向に等間隔に配列する構成とする。
【００１２】
電磁石４は固定台１に固定し永久磁石５は回転台２に固定する構成とする。
あるいは電磁石４を回転台２に固定し永久磁石５を固定台１に固定する構成としてもよい。
また永久磁石５を電磁石４に置き換えた構成としてもよい。
【００１３】
各電磁石４は透磁率の大きい磁性体を磁芯に有する巻き線コイルで構成する。
【００１４】
各電磁石４の巻線は同一の巻き方向を永久磁石５に正対する構成とする。
【００１５】
各永久磁石５は同一の磁極を電磁石４に正対する構成とする。
【００１６】
各電磁石４は巻線の巻始めの方向を円周方向等に統一する配置とする。
【００１７】
各電磁石４は空芯コイル、積層コイル、薄膜コイル等に置き換えた構成としてもよい。
【００１８】
支持部３は電磁石４と永久磁石５間に発生する吸引力又は反発力により伸縮する素材とする。
【００１９】
図２は本発明における傾斜回転型静電アクチュエータの傾斜時の斜視図である。
図３は本発明における傾斜回転型静電アクチュエータの傾斜時の断面図である。
傾斜回転型静電アクチュエータは電磁石４への電流を制御することにより各電磁石４に励磁する磁極と磁場６が変化し正対する永久磁石５間に吸引力又は反発力が発生する。
【００２０】
固定台１と回転台２は支持部３で固定支持するため回転台２は電磁石４と永久磁石５間の吸引力又は反発力を駆動源として支持部３を中心に指定する角度に傾斜運動する。
【００２１】
各電磁石４への電流をリアルタイムに制御することにより回転台２は支持部３を中心に指定する角度で傾斜回転運動する。
【００２２】
全電磁石４への励磁を正対する永久磁石５間に吸引力が働くように制御することにより回転台２は固定台１に鉛直方向に近づく相対運動する。
【００２３】
全電磁石４への励磁を正対する永久磁石５間に反発力が働くように制御することにより回転台２は固定台１から鉛直方向に離れる相対運動する。
【００２４】
正対する電磁石４と永久磁石５はアクチュエータの傾斜角度を問わず電磁石４と永久磁石５間に磁場の重なり７が存在するように配置する。
【００２５】
各電磁石４は回転台２の傾斜回転運動を妨げないように配線する。（図示なし）
【産業上の利用可能性】
【００２６】
本発明における傾斜回転型静電アクチュエータは小型化、軽量化、省消費電力化が実現でき撮影装置等を搭載できる形状であるため携帯情報端末装置は勿論のこと家庭用電気機械器具、車載器、医療機器への内蔵においても好適である。
【符号の説明】
【００２７】
１固定台
２回転台
３支持部
４電磁石
５永久磁石
６磁場
７磁場の重なり
【図１】
2013074778.tif 000003
【図２】
2013074778.tif 000004
【図３】
2013074778.tif 000005
(57)【要約】【課題】  従来、２層式ネットを建物上部と花壇部等の支柱間でネット張りする作業において、上面ネットと下面ネット間に空間を設けることができないという大きな問題があつた。  これは、ネットが格子状の繊維製品構造で柔軟性を持っているため、上下両端を引っ張ってネット張りする際に上面ネット、下面ネットが重なり合い直線的形状となるためである。【解決手段】  上面ネット２ａ、下面ネット２ｂの合わせ面にネットセパレーター１を挿入締結した状態で、ネット張り作業をすれば開口部を形成出来て、２層式ネット２の形状が簡単に形成することができる。【選択図】図１
2013074825.tif 000002
【特許請求の範囲】
【請求項１】
蔓性植物類の栽培に使用される２層式ネットで、上面ネット、下面ネット間に挿入締結して開口部を形成することを特徴とするネットセパレーター。
【請求項２】
蔓性植物類の茎、蔓が上面ネット、下面ネット間の開口部内まで茂り生育するように、本体面に種々の形状を設けたネットセパレーター。
【発明の詳細な説明】
【技術分野】
【０００１】
本発明は、蔓性植物類の栽培に欠かせない園芸ネットの２層式ネットを効果的に活用できることを図ったネットセパレーターに関する。
【背景技術】
【０００２】
建物の温度上昇抑制を図る緑のカーテン形成に使われる園芸ネットは、１層式ネット,２層式ネット等がある。  このなかで、２層式ネットを張る場合に、上面ネット,下面ネットの両面間に空間部を形成する必要がある。  ところが、２層式ネットは格子状の繊維製品構造ため、ネット張りすると上面ネット,下面ネットが重なって開口部を形成することができないという欠点があった。
【先行技術文献】
【特許文献】
【０００３】
【特許文献１】特になし。
【発明の概要】
【発明が解決しようとする課題】
【０００４】
解決しようとする問題点は、緑のカーテンを形成する蔓性植物類の茎、蔓を這わす２層式ネットのネット張り作業において、簡単に上面ネット、下面ネットを分離して開口部を形成出来ない点である。
【課題を解決するための手段】
【０００５】
この発明に係るネットセパレーターは、塩化ビニール等の汎用プラスチックの特性を利用して出来ているため、ネット張り作業において、上面ネット、下面ネット間の内面部に柔軟に挿入締結できて開口部を形成することを特徴としたものである。
【発明の効果】
【０００６】
本発明のネットセパレーターは、本体面に蔓性植物類の茎、蔓が這うに開口部を設けているため成長を阻止することなく栽培できる。また上面ネット、下面ネットに分離、誘引することにより広範囲、高密度に生育して、ヒートアイランドの緩和に役立つ密度の高い緑のカーテンを形成することができる。
【図面の簡単な説明】
【０００７】
【図１】ネットセパレーターを２層式ネットに挿入締結する方法を示した斜視図である。
【図２】ネットセパレーターの本体面形状を示した斜視図である。
【発明を実施するための形態】
【０００８】
蔓性植物類の茎、蔓をネットに這わして高密度の緑のカーテンを形成して、ヒートアイランドの抑制する目的を、２層式ネットの上、下面ネット間にネットセパレーターを挿入して開口部を形成保持することで実現した。
【実施例】
【０００９】
図１は、本発明の実施例の斜視図であって、ネットセパレータ―１は持ち運び取付を楽にするため、上段ネットセパレーター１ａ１、１ａ２と下段ネットセパレーター１ｂ１、１ｂ２に分割している。このネットセパレーター１を２層式ネット２の上面ネット２ａ、下面ネット２ｂ間に挿入して締結具３で締結固定する。
【００１０】
上記のように組み立てられた２層式ネットを建物の外壁等に立て掛けて、蔓性植物類を栽培すると、下部ネット部に巻きつき，這いながら生育し、２層分離部で上面ネット２ａ、下面ネット２ｂに這い分かれ上部まで生育する。  また、一部の茎、蔓は挿入されたネットセパレーター１を通り抜けてネット開口部空間に茎、葉を茂らせながら上部まで生育する。このネットの開口部形成するネットセパレーター１は、蔓性植物類が広範囲で茂り、密度の高い緑のカーテン形成とヒートアイランドの抑制におおいに役立つ。
【符号の説明】
【００１１】
１．  ネットセパレーター
１ａ１、１ａ２．  上段ネットセパレーター
１ｂ１、１ｂ２．  下段ネットセパレーター
２．  ２層式ネット
２ａ．  上面ネット
２ｂ．  下面ネット
３．  締結具
４．  四角穴型ネットセパレーター
５．  丸穴型ネットセパレーター
６．  すのこ型ネットセパレーター
【図１】
2013074825.tif 000003
【図２】
2013074825.tif 000004
(57)【要約】      （修正有）【課題】土壌上層部即ち表土に蔓延する草の根際に、回転する円盤に取り付けた刃物で衝撃、摩擦、撹拌、切断を与え、平坦地、畑地の畝、作物の株間の草を毟り取る刈刃装置を提供する。【解決手段】軸に取り付けた鋼製円盤に傾角と向心力を兼ね備えた複数の刃物を装着し、回転と同時に表土の草の根に衝撃等を与え草を毟り取る。回転刃は直径９０ｍｍ内外でできているので、畑地の畝、株間の除草ができ、しかも安定板を装着しているので上下動がなく円滑に操作できる。【選択図】図２
2013074868.tif 000002
【特許請求の範囲】
【請求項１】
（１）軸に取り付けた鋼製円盤に傾角と向心力を兼ね備えた複数の刃物を装着し、回転と同時に表土の草の根に衝撃等を与え、草を毟り取ることを目的とした器械。
【発明の詳細な説明】
【技術分野】
【０００１】  草刈り機は地表面の草を刈り払う、また耕転機等は土壌深く鍬き起こす事を特徴としているが、本発明はこの両者と異なり土壌上層部即ち表土に蔓延する草の根際に回転する円盤に取り付けた刃物で衝撃、摩擦、撹拌、切断を与え、平坦地は勿論、畑地の畝、作物の株間の草を毟り取ることを目的としたものである。
【背景技術】
【０００２】（イ）雑草は主として除草用の小道具を使い手取り作業で行なっている。（ロ）取った草は集めて焼却または捨てる。（ハ）草刈り機で刈り取る。（ニ）除草剤を散布する。
【発明の開示】
【発明が解決しようとする課題】
【０００３】（イ）夏季に多い雑草の手取り作業は、高温時でもあり厳しい作業を強いられる。（ロ）取った草は、集めて焼却するか可燃物として処分しなければいけないが、地域によっては焼却ができないところもある。（ハ）手取り作業は、腰を屈めるなど姿勢が悪いので腰痛の原因にもなる。（ニ）除草剤の散布は、畑地以外では効果はあるが毒性が強く、時として小動物や昆虫を死に至らしめる事がある。（ホ）刈り払いした草は根が残っているので再生が早い。  本発明はこれらの問題点を解決するため考案されたものである。
【問題を解決するための手段】
【０００４】  軸に取り付けた鋼製円盤に傾角と向心力を兼ね備えた複数の刃物を装着し、回転と同時に表土の草の根に衝撃等を与え、草を毟り取ることを目的とした器械。
【発明の効果】
【０００５】（１）夏季高温時の草取り作業は大変な重労働である。本発明は特に畑地においてこの煩わしい作業を機械の力で解決しようとするものである。（２）回転刃を草刈り機に取り付けた場合、毎分４０００回転以上の速さで草の根を叩くため、殆ど枯死して再生しない。（３）取った草は集めて処分しなければならないが、焼却する場合は煙が多いので近所を気にしながら処理しなければならないし、地域によっては焼却できないため可燃物としてゴミ出ししなければならないので大変であるが、この発明はこれらの問題を解決できるものと確信する。（４）回転刃は、直径９０ｍｍ内外でできているので、畑地の畝、株間の除草ができる。しかも安定板を装着しているので上下動がなく円滑に操作できる。（５）平坦地においても人力の数倍、草の状況によっては１０数倍の効果がある。（６）傾角は草が巻き付かない角度で反動が少ない。また、向心力は土砂を内側に撥ねる力がある。（７）立ち姿勢で作業できるので、腰に負担をかけない。（８）乗用型または、手動操作走行型に回転盤を接続することは容易で、特に大型機の場合前方、中央部後方にいずれも操作性が良く、さらに小型草刈り機蓄電池充電式のものは取り扱いも簡易で、農家に限らず近年多くなった家庭菜園でも利用されるものと思われる。
【発明を実施する為の最良の形態】
【０００６】（１）使用する刃物は靭性に富み、安価な４５Ｃ鋼を用い周到な焼入れ処理したものが最も良いと考えられ、ほかに耕転機の爪と同様の方法も考えられる。（２）刃物の脱着はいずれの機種もネジできつく締めることができる。（３）飛散防止カバーは、いずれの機種にも取り付ける必要がある。（４）円盤を大型機及び手操作走行型のものに装着する場合では、対地反動があるので２つの軸をそれぞれ円盤を取り付けた左右反対に回転するよう構成すると作業が安定する双方内側または外側回転。（５）草刈り機に円盤を取り付けた場合は、エンジンの負荷が同等以下でなければいけない。草刈り機の鋸刃は直径２５ｃｍから３０ｃｍに対し、本発明は９０ｍｍ前後で鋸刃の約３分の１であり、さらに回転数は毎分７０００〜８０００回転に対し、４０００回転前後で過負荷の心配はない。（６）草刈り機を利用する場合、円盤の裏側に安定板を取り付ける必要があるが、さらにセンターハンドルを取り付けると操作が円滑にできる。
【図面の簡単な説明】
【図１】本体側面写真
【図２】円盤と向心角
【図３】刃物と傾角
【図１】
2013074868.tif 000003
【図２】
2013074868.tif 000004
【図３】
2013074868.tif 000005
【手続補正書】
【提出日】平成24年12月18日(2012.12.18)
【手続補正１】
【補正対象書類名】明細書
【補正対象項目名】０００５
【補正方法】変更
【補正の内容】
【０００５】（１）夏季高温時の草取り作業は大変な重労働である。本発明は特に畑地においてこの煩わしい作業を機械の力で解決しようとするものである。
（２）回転刃を草刈り機に取り付けた場合、毎分４０００回転以上の速さで草の根を叩くため、殆ど枯死して再生しない。
（３）取った草は集めて処分しなければならないが、焼却する場合は煙が多いので近所を気にしながら処理しなければならないし、地域によっては焼却できないため可燃物としてゴミ出ししなければならないので大変であるが、この発明はこれらの問題を解決できるものと確信する。
（４）回転刃は、直径９０ｍｍ内外でできているので、畑地の畝、株間の除草ができる。しかも安定板を装着しているので上下動がなく円滑に操作できる。
（５）平坦地においても人力の数倍、草の状況によっては１０数倍の効果がある。
（６）円盤の外周に沿ってリングを熔着し、その適宜内壁に向心角を刻んだ鋼製のの刃物取り付金具は中央部に雌ネジを加工してあり、刃物の交換はボルト１本で着脱できます。
（７）傾角約５５度に、草が巻きつかない角度であり、更に表土に円滑に切り込み衝撃を吸収するので手許への振動が少ない。
（８）向心角は約５〜１０度が最も好ましい角度で、回転に伴い連続的に草の根を削りそぐ作用があり、角度が大きいとエンジン負荷が大きくなります。
更に草の根や土砂を中心部へよせる力があるので飛散防止にもなります。
（９）防塵カバーを円盤に最も近い位置に取り付けると土砂の飛散が少なくなるが、裾の部分をゴム等の柔軟な材料で、取り替えが可能なものにすると土に接触しても操作に影響しない。
（１０）立ち姿勢で作業できるので、腰に負担をかけない。
（１１）乗用型または、手動操作走行型に回転盤を接続することは容易で、特に大型機の場合前方、中央部後方にいずれも操作性が良く、さらに小型草刈り機蓄電池充電式のものは取り扱いも簡易で、農家に限らず近年多くなった家庭菜園でも利用されるものと思われる。
【手続補正２】
【補正対象書類名】図面
【補正対象項目名】図３
【補正方法】変更
【補正の内容】
【図３】
2013074868.tif 000006
(57)【要約】【課題】補助柄付き鋏は、果樹園や園芸で使用する植木鋏の地面上での使用範囲を広げるために提供する。【解決手段】植木鋏の刃の部分（Ａ）と握り手（Ｂ）の間に、補助柄（３）を設けることを特徴とする。【特許請求の範囲】
【請求項１】
鋏の刃の部分（Ａ）と握り手の部分（Ｂ）の間に、補助柄（３）を装着した、補助柄付き鋏。
【発明の詳細な説明】
【発明の詳細な説明】
【産業上の利用分野】
【０００１】この発明は、鋏の使用範囲を広げるため、鋏の刃と握り手の間に、補助柄を装着した鋏に関するものである。
【背景技術】
【０００２】従来は、鋏を持った手で、届かない所へは、木立の中や花の中に踏み込んだり、背の届かない所へは、脚立を使用していた。
【発明が解決しようとする課題】
【０００３】これには、次の様な難点があった。
（イ）果樹、樹木の剪定では、鋏で手の届かない所へは、脚立を利用し、脚立の設置、移動に手間がかかった。
（ロ）園芸では、花や枝を鋏のみで切る場合、範囲が狭く、花や木立の中へ踏み込まないといけなかった。
【課題を解決するための手段】
【０００４】鋏の刃の部分（Ａ）と握り手の部分（Ｂ）の間に補助柄（３）を設け、作業範囲を広げる為の鋏である。
【発明を実施するための形態】
【０００５】（イ）鋏の刃の部分（Ａ）と握り手の部分（Ｂ）の間に補助柄（３）を装着する。
（ロ）補助柄（３）は中空で、その中に握り手の動きを刃に伝導する索道で連動線（７）を通す。
（ハ）鋏を使用しない時の、安全の為、刃を閉じたままにするストッパー（８）を付ける。
本発明は、以上のような構造である。又、握り手の部分（Ｂ）を開閉する為バネ（６）を付け、握り手を握ることで、刃が稼動し、花や木を切断する。
【発明の効果】
【０００６】これには、次の様な効果がある。
（イ）補助柄付き鋏を持つことによって、地面の上での作業範囲が広くなる。
（ロ）補助柄付き鋏によって、作業時間を省き、時間の短縮が出来る。
本発明は、これらの効果をもたらすものである。
【図面の簡単な説明】
【図１】本発明の斜視図である。
【図２】本発明の刃を開いた正面図である。
【図３】本発明の刃の部分が閉じた図である。
【符号の説明】Ａ  刃の部分
１  可動刃
２  固定刃
３  補助柄
Ｂ  握り手の部分
４  可動握り手
５  固定握り手
６  握り手部分の開閉バネ
７  索道（刃と握り手の連動線）
８  刃の開閉ストッパー
【図１】
2013074870.tif 000002
【図２】
2013074870.tif 000003
【図３】
2013074870.tif 000004
(57)【要約】【課題】企業側の無駄なお金と、面接などによる無駄な時間、労力を効率よく無くし、かつ狙った人材的確に雇えることが必要だった。また、求職者側も無駄に就職活動をするのではなく、自分の本当の才能や技術を最初からアピールできる、非常に効率のいい就職活動支援サービスが必要だった。【解決手段】本発明、企業と求職者の合理的就職サービスを用いる事により、企業側は欲しいとする技術、または才能を問題として提出し、求職者側は自分に合った仕事を探し、自分技術、または才能を思う存分に発揮することで、企業側が求めている人材に適合する。【選択図】図１
2013125421.tif 000002
【特許請求の範囲】
【請求項１】
企業側が出す質問に、求職者が答えて就職活動を支援するサービス。
【請求項２】
企業側の問題で、選択制または自由回答制を用いた就職活動支援サービス
【請求項３】
企業側の問題で、選択制の場合にランダムで表示するプログラムを用いた就職活動支援サービス
【発明の詳細な説明】
【技術分野】
【０００１】
ＷＥＢサービス
【背景技術】
【０００２】
従来の求人ＷＥＢサービスは、企業が欲しい人材を募集要件を添えて応募していたが、面接からいざ就職しても、なかなか理想の募集要件を満たしている人材を得る事ができなかった。
【発明の概要】
【発明が解決しようとする課題】
【０００３】
従来の就職サービスだと、個人の能力を見るまでは条件を満たしているのか分からないので、企業としてもリスクがあった。
このリスクを回避でき、効率よく人材確保できるサービスが必要であった。
【発明の効果】
【０００４】
本発明  企業と求職者の適合サービスを用いる事で従来、企業と求職者の電話から面接、入社、試用期間までの無駄なやり取りを省け、的確に就職できるようになる。
雇う側も雇われる側も本気で取り組める仕組みになっているので、入社以降も長く在籍できる可能性がある。
【図面の簡単な説明】
【０００５】
【図１】この図面が全てでは決してないが、この企業と求職者の合理的サービスの大まかな全体図である。
【実施例】
【０００６】
ここに例題を挙げるが、決してこれを主とするものではない。
企業と求職者の適合サービスにおいて、企業側は欲しい能力を得る為に質問を作成する。
これをクリアーすることにより、履歴書の送信などできるようになり、面接か入社が決まる。
【産業上の利用可能性】
【０００７】
現在、就職活動の期間が限られた為、企業も求職者も短い間で決めなければならず、その結果、就職活動も雑になり、企業側も選ぶ時間がなくなっている。
なので、企業と求職者の適合サービスを用いる事により、的確に短時間で人材確保できる。
【図１】
2013125421.tif 000003
(57)【要約】【課題】  本発明は、柄の上端に取手を設け、柄の下端部に撹拌部を設けた土壌撹拌器。野菜などの苗を植える際、植え穴を掘って肥料を施し、肥料を土と撹拌してから植えるが、その撹拌をするための土壌撹拌器を提供する。【解決手段】  柄（２）の上端に取手（１）を設け、柄（２）の下端部に撹拌部（３）を設けたことを特徴とする土壌撹拌器。【選択図】図１
2013106605.tif 000002
【特許請求の範囲】
【請求項１】
柄（２）の上端に取手（１）を設け、柄（２）の下端部に撹拌部（３）を設けたことを特徴とする土壌撹拌器。
【発明の詳細な説明】
【技術分野】
【０００１】  本発明は、柄の上端に取手を設け、柄の下端部に撹拌部を設けた土壌撹拌器。野菜などの苗を植える際、植え穴を掘って肥料を施し、肥料を土と撹拌してから植えるが、その撹拌をするための土壌撹拌器に関するものである。
【背景技術】
【０００２】  従来、鍬やシャベル等で撹拌をするが労力を要し、思うように撹拌できなかった。
【発明の概要】
【発明が解決しようとする課題】
【０００３】  これは、次のような欠点があった。
従来、鍬やシャベルでは、労力、時間ともに非能率であった。
本発明は、野菜などの苗を植えるときは植え穴を掘り肥料などを施し、肥料を土と撹拌してから植えるが、鍬などでは思うようにできず、労力的にも負担が大きかった。
本発明はこれらの欠点を解決するためになされたものである。
【課題を解決するための手段】
【０００４】  柄（２）の上端に取手（１）を設け、柄（２）の下端部に撹拌部（３）を設ける。
以上のように構成された土壌撹拌器。
上記問題点を解決するため本発明は、本器を植え穴に押圧し取手（１）を持って、撹拌部（３）を左右に回転させれば簡単に撹拌できる。
【発明の効果】
【０００５】  本発明の土壌撹拌器を植え穴に押圧し取手（１）を持って、撹拌部（３）を左右に回転させれば簡単に撹拌できる。
作業は簡単で、楽に早く、その目的を達することができる。
労力軽減と共に作業時間の短縮で能率を上げることができる効果がある。
【図面の簡単な説明】
【０００６】
【図１】  本発明の斜視図である。
【図２】  本発明の正面図である。
【発明を実施するための形態】
【０００７】柄（２）の上端に取手（１）を設け、柄（２）の下端部に撹拌部（３）を設ける。
本発明は以上のように構成されている。
本発明を施肥した植え穴に押しつけながら、取手（１）を持って、撹拌部（３）を左右に回転すれば、簡単に肥料を土壌に混ぜ合わせることができる。
【符号の説明】
【０００８】１  取手
２  柄
３  撹拌部
【図１】
2013106605.tif 000003
【図２】
2013106605.tif 000004
(57)【要約】【課題】  炭酸水素ナトリウムなどの炭酸塩とクエン酸などの酸味料の反応を利用した炭酸ガス含有のフルーツ缶詰の製造に当たり、発生した炭酸ガスを充分に容器内に留めることができる。【解決手段】  炭酸塩を含むゼリー溶液を容器に入れ、冷却、ゲル化した後、酸味料を含む溶液を加えることにより、炭酸塩と酸味料の接触を少なくすることができ、この時点での炭酸ガスの発生を最小限に抑えることができる。その後容器を密封し、ゲル化剤が再溶解する以上の温度の湯に浸けることにより、ゲル化剤が溶解し、炭酸塩と酸味料が混ざり合い反応して容器内で炭酸ガスが発生する。続いて冷却すると炭酸ガスを充分に含有したフルーツ缶詰を製造することができる。【特許請求の範囲】
【請求項１】
炭酸水素ナトリウムなどの炭酸塩（炭酸水素ナトリウムの他に食品添加物として許可されている炭酸塩。以下、炭酸塩類と言う。）を含む（Ａ液）とクエン酸などの酸味料（クエン酸の他に食品添加物として許可されている全ての酸味料及び酸味のある果汁、野菜汁。以下、酸味料類と言う。）を含む溶液（Ｂ液）を準備し、Ａ液、Ｂ液を容器に入れ、密封後Ａ液とＢ液を混合し、炭酸塩類と酸味料類を反応させ、炭酸ガスを発生させることによる炭酸ガスを含有したフルーツ缶詰の製造方法。
【請求項２】
炭酸塩類及びゼラチン等のゲル化剤を含む溶液（Ａ液）を容器に入れ、冷却によりゲル化し、その上から酸味料類を含む溶液（Ｂ液）及びフルーツ果肉を加え、密封後加熱よりゲル化したＡ液を再溶解し、Ｂ液と混合し、炭酸塩類と酸味料類を反応させ、炭酸ガスを発生させることによる炭酸ガスを含有したフルーツ缶詰の製造方法。
【発明の詳細な説明】
【技術分野】
【０００１】  本発明は、炭酸ガスを含有したフルーツ缶詰の製造方法に関するものである。
【背景技術】
【０００２】  炭酸水素ナトリウムなどの炭酸塩の水溶液とクエン酸などの酸味料の水溶液を混ぜ合わせることによって炭酸ガスが発生するということは周知の事実である。また、これを利用して炭酸水を作る方法がインターネットなどでも紹介されている。本発明はこの化学反応を利用しながらも、新たなアイデアを加えることによって炭酸ガスを充分に含有したフルーツ缶詰を製造しようとするものである。
【発明の概要】
【発明が解決しようとする課題】
【０００３】  炭酸ガスを含有したフルーツ缶詰の製造にあたって、フルーツ果肉、糖液に炭酸水素ナトリウム及びクエン酸を加えると、即時に炭酸水素ナトリウムとクエン酸が反応して炭酸ガスが発生し、容器外に逃げてしまい、充分に炭酸ガスを含有したフルーツ缶詰を製造することができない。
【課題を解決するための手段】
【０００４】  上記課題を解決するために本発明は、炭酸水素ナトリウムを含むＡ液とクエン酸を含むＢ液及び果肉を準備することを特徴とする。【０００５】  Ａ液には炭酸水素ナトリウムの他にゲル化剤、水等を加え、Ｂ液にはクエン酸の他に糖類、果汁、水等を加えることを特徴とする。【０００６】  加熱・溶解したＡ液を容器に充填、冷却してゲル化し、その上からＢ液及び果肉を加えた後密封することを特徴とする。【０００７】  密封した容器をゲル化剤が再溶解できる以上の温度の湯に浸けることによりゲル化剤が溶解し、炭酸水素ナトリウムとクエン酸が反応し炭酸ガスが発生し容器内に閉じ込められた炭酸ガスを含有するフルーツ缶詰を製造することを特徴とする。なお、加熱時にレトルト殺菌に相当する温度にすると滅菌され、商品を常温で流通させることも可能となる。
【発明の効果】
【０００８】  本発明のように炭酸水素ナトリウムを含む溶液を一度冷却して固化し、その後クエン酸を含む溶液を加えるという製造方法を行えば炭酸水素ナトリウムとクエン酸との接触面積が少なく（炭酸水素ナトリウムを含む溶液が固化しているため）、炭酸水素ナトリウムとクエン酸との反応が極少なくなり充分に炭酸ガスを含有したフルーツ缶詰を製造することが可能となる。
【実施例１】
【０００９】  ゼラチン１ｇを水５０ｇに溶解した後炭酸水素ナトリウム１０ｇを加えて分散させた液を容器に入れ、冷却させてゲル化し、その上からパイナップルの果肉２７０ｇ、クエン酸１０ｇを溶解した５％砂糖溶液１９０ｇを加えて密封した後、湯に浸けることによりゼラチンを溶解して混合した。容器の中で炭酸水素ナトリウムとクエン酸が反応し、炭酸ガスを含有し、食した時にシュワーとしたパイナップルの缶詰が得られた。
【産業上の利用可能性】
【００１０】  本発明により製造された炭酸ガス含有のフルーツ缶詰はそのままフルーツ缶詰として食されるだけでなく、飲食店などでもトッピング材、フィリング材として利用できる。
(57)【要約】【課題】従来のサンドイッチパンは、中に挟んだ具が外に出たり下に落ちたりして食べ辛い。【解決手段】上と下になるパンの半分をローマ字のＬ字型にする事で、具が外にでたり下に落ちたりすることを防ぎます。【選択図】図１
2013106604.tif 000002
【特許請求の範囲】
【請求項１】
ハンバーグパンの中にサンドイッチ状に挟んだ具が外に出たり落ちたりしないように、下になるパンにローマ字のＬ字型に曲がりを付ける。
【請求項２】
側面から見た場合、図１のように半分だけローマ字のＬ字型にし、食べるときにサンドイッチ状に挟んだ具が見えるようにする。
【発明の詳細な説明】
【技術分野】
【０００１】本考案はサンドイッチパンに関する。
【背景技術】
【０００２】従来のパンは上下の部分が同じで平らである。
【発明が解決しようとする課題】
【０００３】従来のサンドイッチパンは上のパンと下のパンが平らで、食べてるときに中に挟んだ具が外に出て食べ辛い。
【課題を解決するための手段】
【０００４】上のパンと下のパンにサンドイッチ状に挟む具が外に出ないように下になるパンにローマ字のＬ字になるように曲がりを付ける。
【０００５】下のパンはサンドイッチ状に挟んだ中の具が見えるように曲がりの部分は半分にする。
【図面の簡単な説明】
【０００６】
【図１】下部のパンを横から見た時、パンをローマ字のＬ字型にまげた図面である。
【図２】下部のパンを正面から見た立面図である。
【図３】上に乗せるパンを上から見た正面図である。
【図４】上に乗っているパンの立面図である。
【図５】上に乗せるパンの平面図である。
【図１】
2013106604.tif 000003
【図２】
2013106604.tif 000004
【図３】
2013106604.tif 000005
【図４】
2013106604.tif 000006
【図５】
2013106604.tif 000007
(57)【要約】【課題】  炭酸水素ナトリウムなどの炭酸塩とクエン酸などの酸味料の反応を利用した炭酸ガス含有ゼリーの製造に当たり、発生した炭酸ガスを充分に容器内に留めることができる。【解決手段】  炭酸塩を含むゼリー溶液を容器に入れ、冷却、ゲル化し、その上から酸味料を含む溶液を加えることにより、炭酸塩と酸味料の接触を少なくすることができ、この時点での炭酸ガスの発生を最小限に抑えることができる。その後容器を密封し、ゲル化剤が再溶解する以上の温度の湯に浸けることにより、ゲル化剤が溶解し、炭酸塩と酸味料が混ざり合い反応して容器内で炭酸ガスを発生する。続いて容器ごと冷水などに浸けてゲル化することにより、炭酸ガスを充分に含有したゼリーを製造することができる。【特許請求の範囲】
【請求項１】
炭酸水素ナトリウムなどの炭酸塩（炭酸水素ナトリウムの他に食品添加物として許可されている炭酸塩。以下、炭酸塩類と言う。）を含む溶液（Ａ液）とクエン酸などの酸味料（クエン酸の他に食品添加物として許可されている全ての酸味料及び酸味のある果汁、野菜汁。以下、酸味料類と言う。）を含む溶液（Ｂ液）を準備し、Ａ液、Ｂ液を容器に入れ、密封後Ａ液とＢ液を混合し、炭酸塩類と酸味料類との反応により炭酸ガスを発生させた後冷却・ゲル化させることからなる炭酸ガスを含有したゼリーの製造方法。Ａ液が酸味料類を含む溶液でＢ液が炭酸塩類を含む溶液であってもよい。
【請求項２】
炭酸塩類及びゲル化剤を含む溶液（Ａ液）を容器に入れ、冷却によりゲル化し、その上から酸味料類を含む溶液（Ｂ液）を加え、密封後加熱によりゲル化したＡ液を再溶解し、Ｂ液と混合し、炭酸塩類と酸味料類との反応により炭酸ガスを発生させた後冷却・ゲル化させることからなる炭酸ガスを含有したゼリーの製造方法。Ａ液が酸味料類を含む溶液でＢ液が炭酸塩類を含む溶液であってもよい。
【発明の詳細な説明】
【技術分野】
【０００１】  本発明は、炭酸ガスを含有したゼリーの製造方法に関するものである。
【背景技術】
【０００２】  炭酸水素ナトリウムなどの炭酸塩の水溶液とクエン酸などの酸味料の水溶液を混ぜ合わせることによって炭酸ガスが発生するということは周知の事実である。また、これを利用して炭酸水を作る方法がインターネットなどでも紹介されている。本発明はこの化学反応を利用しながらも、新たなアイデアを加えることによって炭酸ガスを十分に含有したゼリーを製造しようとするものである。【０００３】  従来からのゼリーに炭酸ガスを含有させる方法としては気体としての炭酸ガスを装置などを用いて封入させる方法及び炭酸ガスを水に溶解した炭酸水を加える方法であった。固体としての炭酸ガス（ドライアイス）を加える方法も考えられるが食品添加物として許可されていない。
【先行技術文献】
【特許文献】
【０００４】
【特許文献１】  特開２００１−２１１８３９
【特許文献２】  特開２００４−２９８１１３
【特許文献３】  特開２００６−２２３２５７
【発明の概要】
【発明が解決しようとする課題】
【０００５】  炭酸ガス含有ゼリーの製造にあたって、ゼリー液（ゲル化剤、糖類、果汁、水などを含む液）に炭酸水素ナトリウム及びクエン酸を加えると、即時に炭酸水素ナトリウムとクエン酸が反応して炭酸ガスが発生し、容器外に逃げてしまい、十分に炭酸ガスを含有したゼリーを製造することができない。
【課題を解決するための手段】
【０００６】  上記課題を解決するために本発明は、炭酸水素ナトリウムを含むＡ液とクエン酸を含むＢ液を別々に準備することを特徴とする。【０００７】  Ａ液には炭酸水素ナトリウムの他にゲル化剤、糖類、水等を加え、Ｂ液にはクエン酸の他に糖類、果汁、水等を加えることを特徴とする。【０００８】  加熱・溶解したＡ液を容器に充填、冷却してゲル化し、その上からＢ液（加熱しない又は加熱しても良いが温度を下げておく方が望ましい）を加えた後密封することを特徴とする。なお、Ｂ液を加えると同時に果実を加えることもできる。【０００９】  密封した容器をゲル化剤が再溶解できる以上の温度の湯に浸けることによりゲル化剤が溶解し、炭酸水素ナトリウムとクエン酸が反応し、炭酸ガスが発生し、容器内に閉じ込められその後、冷却することにより炭酸ガスを含有するゼリーを製造することを特徴とする。なお、加熱時にレトルト殺菌に相当する温度にするとゼリー液が殺菌され、商品を常温で流通させることも可能となる。【００１０】  Ａ液とＢ液を逆にすることも可能である。即ち、クエン酸を含むゼリー液を固化させた後に炭酸水素ナトリウムを含む溶液を加え、ゼリーを再溶解させ炭酸水素ナトリウムとクエン酸が反応し炭酸ガスが発生し容器内に閉じ込められその後、冷却することにより炭酸ガスを含有するゼリーを製造することを特徴とする。
【発明の効果】
【００１１】  本発明のように炭酸水素ナトリウムを含むゼリー溶液を一度冷却してゲル化し、その後クエン酸を含む溶液を加えるという製造方法を行えば炭酸水素ナトリウムとクエン酸との接触面積が少なく（炭酸水素ナトリウムを含む溶液が固化しているため）、接触する時の温度が低いため炭酸水素ナトリウムとクエン酸との反応が極少なくなり十分に炭酸ガスを含有したゼリーを製造することが可能となる。
【実施例１】
【００１２】  ゼラチン１０ｇに水１００ｇを加えて加熱・溶解し、炭酸水素ナトリウム１０ｇを加えて分散させＡ液を作った。Ａ液を容器に入れ、冷却してゲル化させた。別にクエン酸１０ｇにグラニュー糖５０ｇ、みかん果汁２５０ｇ、水１００ｇを加えて溶解しＢ液を作った。ゲル化したＡ液にＢ液及びみかんの果肉２０ｇを加え、密封した。これを６０℃の湯につけてゲル化したＡ液を溶解しＢ液と混合した。Ａ液中の炭酸水素ナトリウムとＢ液中のクエン酸が反応し炭酸ガスが発生しこれを冷却させると炭酸ガスを十分に含有したみかんゼリーが得られた。得られたみかんゼリーはシュワーとした食感のゼリーであった。
【産業上の利用可能性】
【００１３】  本発明により製造された炭酸ガス含有ゼリーはフルーツゼリー、水ようかん、プリンなどと同じようにギフト商材として使用されるほかに一般に市場で販売される。
(57)【要約】      （修正有）【課題】永久磁石を２個以上設け、双方を接近させた時の反発力及び吸引力を回転力に変え、それに継続回転力を得る。【解決手段】磁力により、継続回転を得るための構造である。１．円盤１に永久磁石ｒ・・・ｎ個ないし、多数個設置する。２．永久磁石ｒに永久磁石ｓを接近させ、永久磁石ｒを駆動させ回転力を設ける。３．永久磁石ｓは振り子原理を利用し、且、円盤にガイドを設けた永久磁石ｓとタイミングを取り、最良点を見出す。４．回転停止は永久磁石ｓを吊り上げ、永久磁石ｓ・・・ｎ個を永久磁石ｒ・・・ｎ個より遠ざけて停止させるものとする。回転盤を動力とし、発電機及びその他の回転動力に変え、それを継続、回転力に変えるものである。【選択図】図１
2013106508.tif 000002
【特許請求の範囲】
【請求項１】
永久磁石を２個以上設け、双方を接近させた時の反発力及び吸引力を回転力に変え、それを継続回転力を得る構造である。
検討すべき事項
１．図−１のごとく、円盤に永久磁石ｒ・・・ｎ個ないし、多数個設置する。
２．永久磁石ｒに永久磁石ｓを接近させ、ｒを駆動させ回転力を設ける。
３．永久磁石ｓは振り子原理を利用し、且、円盤にガイドを設けた永久磁石ｓとタイミングを取り、最良点を見出す。
４．回転停止は永久磁石ｓを３で吊り上げ、４により永久磁石ｓ・・・ｎ個を永久磁石ｒ・・・ｎ個より遠ざけて停止させるものとする。
上記回転盤を動力とし、発電機及びその他の回転動力に変え、それを継続、回転力を得る構造である。
【発明の詳細な説明】
【技術分野】
【０００１】  本発明は永久磁石の反発力及び吸引力を利用し、回転力に変え、それを継続回転させる事を目的とする。
【背景技術】
【０００２】  本発明の用途として、発電機を駆動させる所にある。現行動力源としては、火力、水力、ガス、原子力、水素、その他が挙げられるが、本発明は入力源を不要とし、出力を得るものである。
【発明の概要】
【発明が解決しようとする課題】
【０００３】  動力は経済発展のため、色々な分野で利用され、現状は資源不足である。それを補う為に入力０（ゼロ）の出力大なる電力を得ようとするものである。
【課題解決するための手段】
【０００４】  本発明は動力源として、永久磁石を利用し、回転運動に変えるものである。
【発明の効果】
【０００５】  本発明は永久磁石の反発力・吸引力により、回転動力に変え、燃料が不必要であり、騒音も皆無で公害が無い。
【図面の簡単な説明】
【０００６】
【図１】  実施例を示す図である。
【発明を実施するための形態】
【０００７】  図−１の円盤に永久磁石ｒ・・・ｎ個と、ｓ・・・ｎ個を設置した図。
【実施例１】  永久磁石ｒに永久磁石ｓを接近させ、反発力と吸引力を回転力に変える。永久磁石ｓは振り子原理を利用し、円盤にガイドを設け、永久磁石ｓとｒとのタイミングを取り、最良点を見出す。回転停止は永久磁石ｓを３で吊り上げ、４により、永久磁石ｓ・・・ｎ個を永久磁石ｒ・・・ｎ個を遠ざけて停止させる。
【産業上の利用可能性】
【０００８】  上記の様に回転動力は小型形式から大型形式も可能で、一般家庭から工業施設等幅広く活用され、特に回転動力を利用するものに適用され、その用途として発電機、エアーコンプレッサー、換気扇、空調機、その他工作機械などなどが上げられる。
【符号の説明】
【０００９】  図−１による
【図１】
2013106508.tif 000003